(57)【要約】  【課題】  現金自動取引システムの低コスト化が可能なモバイル通信端末を提供する。【課題を解決するための手段】  モバイル通信端末は、オンラインバンキングサーバを含むネットワークに接続され、現金自動取引装置と協働する。モバイル通信端末は、ネットワークを介して、オンラインバンキングサーバに現金取引の内容の事前登録をする登録手段と、オンラインバンキングサーバとの通信により、現金取引の許可を請求する許可請求手段と、許可の受信を待機しつつ又は許可を受信して、現金取引の事前登録内容を表すコードパターンを表示部に表示する表示手段と、を有する。【選択図】図１
2018032176.tif 000002
【特許請求の範囲】
【請求項１】
オンラインバンキングサーバを含むネットワークに接続され、現金自動取引装置と協働し、かつ表示部を有するモバイル通信端末であって、
前記ネットワークを介して、前記オンラインバンキングサーバに現金取引の内容の事前登録をする登録手段と、
前記オンラインバンキングサーバに、前記現金取引の許可を請求する許可請求手段と、
前記許可の受信を待機しつつ又は前記許可を受信して、前記現金取引の事前登録内容を表すコードパターンを前記表示部に表示する表示手段と、を有することを特徴とするモバイル通信端末。
【請求項２】
前記ネットワークを介して前記許可を受信したときに前記コードパターンを生成することを特徴とする請求項１に記載のモバイル通信端末。
【請求項３】
前記オンラインバンキングサーバは、前記許可を受信したときに前記コードパターンのデータを生成し、前記コードパターンのデータを前記モバイル通信端末に送信することを特徴とする請求項１に記載のモバイル通信端末。
【請求項４】
前記表示手段が前記コードパターンを所定時間表示した後、前記現金取引の結果を表示するとともに、前記現金取引の結果を前記オンラインバンキングサーバに送信することを特徴とする請求項１乃至３のいずれか１つに記載のモバイル通信端末。
【請求項５】
前記現金自動取引装置は、前記ネットワークとは接続しないオフラインの装置である請求項１に記載のモバイル通信端末。
【請求項６】
請求項１乃至４のいずれか１つに記載のモバイル通信端末を含み、さらに、前記ネットワークに接続されずかつ、前記表示部に表示された前記コードパターンを読み取る読み取り部を有しかつ前記コードパターンに応じて現金取引を実行する現金自動取引装置を、含むことを特徴とする現金自動取引システム。
【請求項７】
オンラインバンキングサーバを含むネットワークに接続され、現金自動取引装置と協働し、かつ表示部を有するモバイル通信端末に、現金取引処理を実行させるプログラムであって、該プログラムは、前記モバイル通信端末に、
前記ネットワークを介して、前記オンラインバンキングサーバに現金取引の内容の事前登録をする登録手段と、
前記オンラインバンキングサーバに、前記現金取引の許可を請求する許可請求手段と、
前記許可の受信を待機しつつ又は前記許可を受信して、前記現金取引の事前登録内容を表すコードパターンを前記表示部に表示する表示手段と、
して機能させる、ことを特徴とするプログラム。
【請求項８】
ネットワークとは接続されないオフラインの現金自動取引装置であって、コードパターンを光学的に読み取る読み取り部を有しかつ前記コードパターンに応じて現金取引を実行することを特徴とする現金自動取引装置。
【請求項９】
紙幣の鑑別や計数、搬送及び放出を行なう機構部と、前記現金取引を実行するために前記機構部及び前記読み取り部を制御する制御部を更に有することを特徴とする請求項８に記載の現金自動取引装置。
【発明の詳細な説明】
【技術分野】
【０００１】
本発明は、通信端末を利用して金融取引を行う現金自動取引システムに関する。
【背景技術】
【０００２】
金融機関に専用線を介して接続された現金自動預払機（ＡＴＭ：Automated Teller Machine）や現金自動支払機（ＣＤ：Cash Dispenser）等の現金自動取引装置を使用する自動取引システムが知られている。
【０００３】
例えば、特許文献１は、ＡＴＭ及び携帯電話を介して金融取引を行う自動取引システムを開示している。このシステムにおいて、ＡＴＭは、利用者が挿入したキャッシュカードを検知するとBluetooth（登録商標）等の近距離無線通信手段によって利用者の携帯電話と通信し、そしてＡＴＭは、取引処理時に利用者の携帯電話を介して金融機関のホストコンピュータと通信して、金融取引を実行している。
【先行技術文献】
【特許文献】
【０００４】
【特許文献１】特開２０１３−１１７８４９号公報
【発明の概要】
【発明が解決しようとする課題】
【０００５】
しかしながら、上述した従来技術においては、ＡＴＭに内蔵した無線通信装置の動作状態を監視し把握することが必要となる。よって無線通信設備が有線通信設備より割高である故に、現金自動取引システムの監視や保守や運用のコストが高くなるという問題があった。
【０００６】
本発明は上記した問題に鑑みなされたものであり、現金自動取引システムの低コスト化が可能なモバイル通信端末及び現金自動取引システムを提供することを目的とする。
【課題を解決するための手段】
【０００７】
本発明のモバイル通信端末は、オンラインバンキングサーバを含むネットワークに接続され、現金自動取引装置と協働し、かつ表示部を有するモバイル通信端末であって、
前記ネットワークを介して、前記オンラインバンキングサーバに現金取引の内容の事前登録をする登録手段と、
前記オンラインバンキングサーバに、前記現金取引の許可を請求する許可請求手段と、
前記許可の受信を待機しつつ又は前記許可を受信して、前記現金取引の事前登録内容を表すコードパターンを前記表示部に表示する表示手段と、を有することを特徴とする。
【０００８】
本発明の現金自動取引システムは、上記のモバイル通信端末を含み、さらに、前記ネットワークに接続されずかつ、前記表示部に表示された前記コードパターンを読み取る読み取り部を有しかつ前記コードパターンに応じて現金取引を実行する現金自動取引装置を、含むことを特徴とする。
【発明の効果】
【０００９】
本発明によれば、システムの監視や保守や運用が低コストで実現できる現金自動取引システムを得ることができる。
【図面の簡単な説明】
【００１０】
【図１】実施例１の現金自動取引システムにおけるインターネットバンキングシステムを含むシステム構成図である。
【図２】実施例１のインターネットバンキングにおけるスマートフォン及びモニターレスＡＴＭによる現金支払処理時の処理のフローを示す説明図である。
【図３】実施例１のスマートフォンのメニュー操作選択画面の例を示す説明図である。
【図４】実施例１のスマートフォンのメニュー取引選択画面の例を示す説明図である。
【図５】実施例１のスマートフォンのメニュー金額選択画面の例を示す説明図である。
【図６】実施例１のスマートフォンの通信中である旨の画面の例を示す説明図である。
【図７】実施例１のスマートフォンの二次元コードを含む取引登録画面の例を示す説明図である。
【図８】実施例１の変形例のインターネットバンキングにおけるスマートフォン及びモニターレスＡＴＭによる現金支払処理時の処理のフローを示す説明図である。
【図９】実施例２のスマートフォンのメニュー操作選択画面の例を示す説明図である。
【図１０】実施例２のメニュー取引結果登録画面の例を示す説明図である。
【図１１】実施例２のインターネットバンキングにおけるスマートフォン及びモニターレスＡＴＭによる現金支払処理時の処理のフローを示す説明図である。
【発明を実施するための形態】
【００１１】
以下、図面を参照しつつ本発明による実施例の自動取引システムについて説明する。なお、本発明は以下の実施例に限定されるものではない。
【実施例１】
【００１２】
インターネットを介して自宅のＰＣで利用できるオンラインバンキングまたはインターネットバンキングもしくはネットバンキングサービスが知られている。また、オンラインバンキングとして、モバイル通信端末を利用し、携帯電話網、インターネット網等の通信網（ネットワーク）を介して金融取引を行う自動取引システムいわゆるモバイルバンキングも知られている。図１は実施例の現金自動取引システムにおけるインターネットバンキングシステム１１を含むシステム構成図である。インターネットバンキングシステム１１は、金融機関に設置された勘定系のホストコンピュータ１３と、このホストコンピュータに接続された金融機関等が運用するインターネットバンキング（オンラインバンキング）の連携サーバ１５（オンラインバンキングサーバ）と、を含む。また、上記通信網の全部若しくは一部には、専用回線等も含まれる。
【００１３】
本実施例の現金自動取引システムはさらに、顧客が有するモバイル通信端末、例えばスマートフォン１７と、例えば金融機関に設置された現金自動支払機（Cash Dispenser）であるモニターレスＡＴＭ１９をも含む。スマートフォン１７は、インターネットバンキングシステム１１に、携帯電話網、インターネット網等の通信網ＩＰを介して接続される。
【００１４】
ホストコンピュータ１３はインターネットバンキングの顧客毎の口座番号、口座残高、口座履歴等を口座情報としてデータベースにて管理し、顧客から依頼を受けた様々な取引の処理を行う機能を有している。
【００１５】
ホストコンピュータ１３は、図示しないがＲＯＭ又はハードディスクドライブ等の記憶部に格納された種々のソフトウエアプログラムに従い、ＲＡＭを一次記憶用ワークメモリとして利用して、取引の処理を含む全体を制御するコンピュータ装置である。ホストコンピュータ１３によって、様々な取引の処理機能を実現する処理手順を記述した制御プログラムを記憶したＲＯＭやＲＡＭ等の記憶媒体から制御プログラムを読み出し、そのプログラムを解釈して実行される。また、ホストコンピュータ１３はネットワーク接続部（図示せず）を含む。ネットワーク接続部は上記システムに含まれる連携サーバ１５との有線又は無線のインターフェースであって、各種データを送受信する。ホストコンピュータ１３は、各顧客の口座番号と各顧客のスマートフォン１７の識別子であるモバイル通信端末ＩＤとを対応させた対応テーブルを記憶しており、連携サーバ１５から送られてくる取引予約を処理し、インターネットバンキングの顧客の取引許可の処理を行う。
【００１６】
連携サーバ１５（Ｗｅｂサーバ）は所定の通信回線によりホストコンピュータ１３と接続されている。連携サーバ１５も、ホストコンピュータ１３と同様、図示しないがＲＯＭ／又はハードディスクドライブ等の記憶部に格納された種々のソフトウエアプログラムに従い、ＲＡＭを一次記憶用ワークメモリとして利用して、取引の処理を含む全体を制御するコンピュータ装置である。
【００１７】
顧客は、パーソナルコンピュータやスマートフォン１７のＷｅｂブラウザ又はＷｅｂアプリを操作して、通信網ＩＰを経由して、開設されてあるＷｅｂ（World Wide Web）サイトである連携サーバ１５にアクセスすることにより、予め顧客ＩＤとパスワードをインターネットバンキングに登録する。連携サーバ１５は、Ｗｅｂブラウザを介して、顧客の顧客ＩＤとパスワードの認証を行った上で、顧客の為の振込や、残高照会等の金融機関の取引をサービスとして提供する機能を有している。
【００１８】
スマートフォン１７は、図示しないが、送受信用のアンテナを備えた通信部と、入力部を兼ね備えた液晶ディスプレイ等のタッチモニタからなる表示部と、マイクロフォンを備えた音声入力部と、スピーカを備えた音声出力部と、外部ケーブルと接続するためのコネクタを備えた接続インターフェースと、ＣＰＵやメモリや各種処理回路等を含む制御部とを有するコンピュータ装置である。メモリに格納されたプログラム（ソフトウエア）に従って、スマートフォン１７は、ここでいうサーバに現金取引の内容の事前登録をする登録手段や、サーバに現金取引の許可を請求する許可請求手段や、許可の受信を待機しつつ又は許可を受信して、現金取引の事前登録内容を表すＱＲコード（登録商標）等の二次元コードのコードパターンを表示部に表示する表示手段として機能する。
【００１９】
顧客のスマートフォン１７には固有のモバイル通信端末ＩＤが設定されており、モニターレスＡＴＭ１９での取引登録（予約）等のインターネットバンキング利用時に、このモバイル通信端末ＩＤが連携サーバ１５（ホストコンピュータ１３）に通知され、本人確認のための顧客のアカウントや口座番号等の認証と特定が行われ、取引メニュー等がスマートフォン１７に表示される。
【００２０】
モニターレスＡＴＭ１９には、スマートフォン１７を載置できスマートフォン１７の表示画面の二次元コードの像を読み取る二次元コード読取部１９ａが設けられている。モニターレスＡＴＭ１９は、例えば紙幣等の現金の出金処理を行う出金部１９ｂを有している。本実施例において、モニターレスＡＴＭ１９は通信網ＩＰ等に接続されていない、すなわちネットワークとは接続しないオフラインの装置である。モニターレスＡＴＭ１９は、その二次元コード読取部１９ａが顧客のスマートフォン１７の表示画面の二次元コードを読み取ることによって、出金処理を行う構成の現金自動取引装置となっている。スマートフォン１７によるモニターレスＡＴＭ１９の支払い操作は、二次元コード読取部１９ａを介して行われる。モニターレスＡＴＭ１９は、紙幣の鑑別や計数、搬送、放出を行なう機構部を備えた出金部１９ｂと光学的に二次元コードを読み取る二次元コード読取部１９ａを備え、現金取引を実行するために出金部１９ｂ及び二次元コード読取部１９ａを制御するＣＰＵやメモリ等を含む制御部を有するコンピュータ装置である。
【００２１】
上述した構成による実施例１の作用について説明する。なお、以下に説明するスマートフォン１７、連携サーバ１５、ホストコンピュータ１３、及びモニターレスＡＴＭ１９の動作は、これらにそれぞれ設けられた図示しない記憶部に格納されたプログラム（ソフトウエア）に基づいて図示しないそれぞれの制御部により制御される。
【００２２】
図２は本実施例のホストコンピュータ１３、連携サーバ１５、スマートフォン１７及びモニターレスＡＴＭ１９による現金支払処理時の処理のフローを示す説明図である。ここでは顧客が３万円の出金取引を申込んだ場合を例にして図２中に示したステップ（Ｓ）に従って説明する。なお、以下の説明では、インターネットバンキング利用、例えば取引メニュー画面までに至るまでのアクセス操作の説明は省略する。
【００２３】
まず、顧客は、スマートフォン１７のアプリにより、インターネットバンキングの連携サーバ１５に接続し、図３のメニュー操作選択画面を開く（Ｓ１）。
【００２４】
顧客はスマートフォン１７の図３のメニュー操作選択画面にて「新規取引登録」をタップして選択し、図４のメニュー取引選択画面を開く（Ｓ２）。
【００２５】
次に、顧客は、図４のメニュー取引選択画面において、希望取引である「支払（お引き出し）」をタップして選択し、図５のメニュー金額選択画面を開き、図５のメニュー画面の金額「３万円」をタップして選択して、「ＯＫ」をタップして確認する（Ｓ３）。なお、顧客が「取消」をタップした場合は取引を実行せずに図３のメニュー操作選択画面に戻す。
【００２６】
「ＯＫ」のタップ操作により、スマートフォン１７は、取引データを連携サーバ１５に送信する（Ｓ４）。取引データを受信（Ｓ５）した連携サーバ１５は、該取引データを登録処理（Ｓ６）して、登録された旨の応答をスマートフォン１７に送信する（Ｓ７）。スマートフォン１７は連携サーバ１５からの応答を受信する（Ｓ８）。ここで、スマートフォン１７は、図３のメニュー操作選択画面に戻す。
【００２７】
次に、顧客は、スマートフォン１７の画面にて「登録ＱＲ表示」をタップして選択する（Ｓ９）と、スマートフォン１７は、図６の通信中である旨を表示する（Ｓ９）。
【００２８】
「登録ＱＲ表示」のタップ操作により、スマートフォン１７は、取引データに基づく実行電文を、連携サーバ１５を経由してホストコンピュータ１３に送信する（Ｓ１０、Ｓ１１）。実行電文を受信（Ｓ１２）したホストコンピュータ１３は、該実行電文を実行処理（Ｓ１３）して、実行許可の旨の応答を連携サーバ１５に送信する（Ｓ１４）。ホストコンピュータ１３は実行処理において、その取引情報から該当顧客の口座情報を検索し、その口座残高と取引情報の出金金額とを比較して残高不足等の問題がなければ、実行許可を登録する。
【００２９】
連携サーバ１５は、該許可の応答を受信（Ｓ１５）した際に「３万円」支払可の内容を含む二次元コードを生成し、この二次元コードパターンのデータをスマートフォン１７に送信する（Ｓ１６）。
【００３０】
スマートフォン１７は連携サーバ１５からの事前登録内容を表す二次元コードパターンのデータを受信して（Ｓ１７）、図７の事前登録内容を表す二次元コードを含む取引登録画面を所定時間（顧客が二次元コード読取部１９ａにかざし読み取りに要する時間例えば、１分間、表示する（Ｓ１８）。なお、ここで「戻る」をタップした場合は取引を実行せずに図３のメニュー操作選択画面に戻る。このように、スマートフォン１７から連携サーバ１５を経由してホストコンピュータ１３に取引実行の可否の確認を実施し、結果を連携サーバ１５が受信する。連携サーバ１５は取引許可の情報として二次元コードのデータをスマートフォン１７に送信し、スマートフォン１７では二次元コードのデータを受信し、スマートフォン１７の画面に二次元コードを表示する。
【００３１】
顧客は、モニターレスＡＴＭ１９の二次元コード読取部１９ａ上に、スマートフォン１７に表示された二次元コードをかざすように置く。
【００３２】
モニターレスＡＴＭ１９は二次元コード読取部１９ａにかざされた二次元コードを読み取り（Ｓ１９）、二次元コードの記録に従って紙幣の計数を行い（Ｓ２０）、顧客に紙幣「３万円」を放出する（Ｓ２１）。顧客は放出された紙幣を抜取り、モニターレスＡＴＭ１９の取引が終了する（Ｓ２２）。
【００３３】
実施例１によれば、モニターレスＡＴＭ１９に入力される二次元コードを表示する前に連携サーバ１５を介してホストコンピュータ１３への通信を行い、引出許可の場合に二次元コードをスマートフォン１７に表示することにより、ホストコンピュータ１３にて許可されていることが確認可能となる。
【００３４】
以上、添付図面を参照しながら本発明の好適な実施例について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００３５】
［変形例］
実施例１において、図２のステップＳ１５〜Ｓ１８に示すとおり、連携サーバ１５が取引許可の情報を受信し、連携サーバ１５にて二次元コードのデータを生成し、これをスマートフォン１７に送っている。本変形例では、連携サーバ１５から取引許可の情報を受信したスマートフォン１７が二次元コードのデータを生成し、二次元コードを表示することも可能である。
【００３６】
図８は実施例１の変形例のスマートフォン１７による現金支払処理時の処理のフローを示す説明図である。図８のステップＳ１〜Ｓ１４は図２のステップＳ１〜Ｓ１４と同様で、図８のステップＳ１７〜Ｓ２１は図２のステップＳ１８〜Ｓ２２と同様であるので、これらのステップの説明は省略する。
【００３７】
図８に示すように、ホストコンピュータ１３からの実行許可の旨の応答を受信（Ｓ１５）した連携サーバ１５は、当該応答をスマートフォン１７に送信する（Ｓ１５）。そして、スマートフォン１７は、受信した許可の応答（Ｓ１６）に基づいて「３万円」支払可の内容を含む二次元コードを生成し、この二次元コードパターンを自身の画面に表示する（Ｓ１７）。
【００３８】
この実施例１の変形例により、二次元コードパターンの画面表示までの時間短縮が可能となる。
【実施例２】
【００３９】
実施例２は、上記実施例１における顧客が放出された紙幣を抜取り、モニターレスＡＴＭ１９の取引が終了した後に、顧客によるスマートフォン１７の操作により、取引結果をホストコンピュータ１３にて登録させることによって、スマートフォン１７から連携サーバ１５を介してホストコンピュータ１３への通信を行い、ホストコンピュータ１３に取引結果を把握させることを可能とするものである。
【００４０】
図９は実施例２のスマートフォン１７のメニュー操作選択画面を示す。図１０は実施例２のスマートフォン１７のメニュー取引結果登録画面を示す。
【００４１】
紙幣を抜取って引き続き顧客は、スマートフォン１７の図９のメニュー操作選択画面にて「取引結果通知」をタップして選択し、図１０のメニュー取引結果登録画面を開く。そして、顧客は、取引結果として「正常終了」又は「異常終了」をタップして選択する。ここで、スマートフォン１７は連携サーバ１５経由でホストコンピュータ１３に取引結果を送信する。連携サーバ１５経由でホストコンピュータ１３からの応答を受信し図９のメニュー操作選択画面に戻る。
【００４２】
実施例２により、取引終了後にスマートフォン１７にて取引結果を顧客操作にて登録させることで、スマートフォン１７から連携サーバ１５を介してホストコンピュータ１３への通信を行い、ホストコンピュータ１３にて取引結果を把握することが可能となる。
【００４３】
図１１は実施例２の具体的一例のスマートフォン１７による現金支払処理時の処理のフローを示す説明図である。図１１のステップＳ１〜Ｓ８は、メニュー操作選択画面（図９）以外、図２のステップＳ１〜Ｓ８と同様であるので、これらのステップの説明は省略する。
【００４４】
図１１に示すように、スマートフォン１７は連携サーバ１５からの登録された旨の応答を受信して（Ｓ８）、図９のメニュー操作選択画面を表示する（Ｓ９）。ここで、スマートフォン１７は、登録された旨の応答に基づいて「３万円」支払可の内容を含む二次元コードを生成し、この二次元コードパターンを自身の画面に表示する（Ｓ１０）。
【００４５】
二次元コードパターンの表示後、スマートフォン１７は、取引データに基づく実行電文を、連携サーバ１５を経由してホストコンピュータ１３に送信する（Ｓ１１、Ｓ１２）。実行電文を受信（Ｓ１３）したホストコンピュータ１３は、該実行電文を実行処理（Ｓ１４）して、実行許可の旨の応答を連携サーバ１５に送信する（Ｓ１５）。
【００４６】
ホストコンピュータ１３からの実行許可の旨の応答を受信（Ｓ１６）した連携サーバ１５は、当該応答をスマートフォン１７に送信し、スマートフォン１７がこれを受信する（Ｓ１７）。スマートフォン１７は図９のメニュー操作選択画面に切り替える。
【００４７】
一方、二次元コードパターンの表示後（Ｓ１０）、顧客は、スマートフォン１７に表示された二次元コードをモニターレスＡＴＭ１９の二次元コード読取部１９ａにかざす。
【００４８】
モニターレスＡＴＭ１９は二次元コード読取部１９ａにかざされた二次元コードを読み取り（Ｓ１８）、二次元コードの記録に従って紙幣の計数を行い（Ｓ１９）、顧客に紙幣「３万円」を放出する（Ｓ２０）。顧客は放出された紙幣を抜取り、モニターレスＡＴＭ１９の取引が終了する。
【００４９】
顧客はスマートフォン１７をモニターレスＡＴＭ１９の二次元コード読取部１９ａから取り外す。顧客は、スマートフォン１７の図９のメニュー操作選択画面にて「取引結果通知」をタップして選択し（Ｓ２１）、図１０のメニュー取引結果登録画面を開く。そして、顧客は、取引結果として「正常終了」をタップして選択する（Ｓ２２）。なお、ここで「戻る」をタップした場合は取引を実行せずに図９のメニュー操作選択画面に戻る。また、スマートフォン１７は図１０のメニュー取引結果登録画面の「戻る」を表示させずに、該画面の所定時間の表示後に図９のメニュー操作選択画面に戻るようにしてもよい。
【００５０】
「正常終了」のタップ後、スマートフォン１７は、取引結果通知を、連携サーバ１５を経由してホストコンピュータ１３に送信する（Ｓ２３、Ｓ２４）。なお、図１０のメニュー取引結果登録画面では「正常終了」と「異常終了」を表示しているが、「異常終了」のみを表示して、「異常終了」がタップされず所定時間の表示後に、取引結果通知を、連携サーバ１５を経由してホストコンピュータ１３に送信する（Ｓ２３、Ｓ２４）ようにしてもよい。取引結果通知を受信（Ｓ２５）したホストコンピュータ１３は、該取引結果通知を処理（Ｓ２６）して、結果通知を連携サーバ１５に送信する（Ｓ２７）。ホストコンピュータ１３はこの出金処理終了の通知を受信すると、取引結果通知処理として、ホストコンピュータ１３に登録されている該当の取引情報に対して出金完了の情報を付加し、該当口座の残高を更新する。なお、取引結果通知処理として、モニターレスＡＴＭ１９の紙幣放出するステップ（Ｓ２０）のログ（例えば、放出紙幣を検知する検知センサ出力の記録等）を記録して置くことで、現金補充時に当該ログを回収して、当該ログによってホストコンピュータ１３の当口座の残高を更新するように、することもできる。
【００５１】
ホストコンピュータ１３からの結果通知を受信（Ｓ２８）した連携サーバ１５は、当該応答をスマートフォン１７に送信し、スマートフォン１７がこれを受信する（Ｓ２９）。スマートフォン１７は図９のメニュー操作選択画面に切り替える。
【００５２】
以上の実施例によれば、モニターレスＡＴＭ１９に入力される二次元コードを表示する前に連携サーバ１５を介してホストコンピュータ１３への通信を行い、許可の場合に二次元コードをスマートフォン１７に表示することでホストコンピュータ１３にて許可されていることが確認可能となる。また、取引終了後にスマートフォン１７にて取引結果を顧客操作にて登録させることで、スマートフォン１７から連携サーバ１５を介してホストコンピュータ１３への通信を行い、ホストコンピュータ１３に取引結果を把握させることができる。
【００５３】
以上説明した実施例によれば、モニターレスＡＴＭ１９が有線無線の通信部を持たず、ホストコンピュータとの通信に顧客のモバイル通信端末を利用するため、この通信部を介したＡＴＭの監視システムを用意する必要がなく、そのため配線工事等の設備コストや監視コストを低減できるという効果も得られる。
【００５４】
また、ＡＴＭにキャッシュカードに対する読取機構部（カードリーダ）等を搭載する必要もないのでＡＴＭの小型化を図ることができる。
【００５５】
また、インターネットバンキングで取引の申込みを受付け、その際顧客口座を取得してホストコンピュータに取引種別や金額と共に取引情報として登録し、この取引情報によりＡＴＭで取引を実行するため、インターネットバンキングの口座でのキャッシュカードの発行が不要となり、金融機関のカード発行コストが低減される。
【符号の説明】
【００５６】
１１  インターネットバンキングシステム
１５  連携サーバ
１３  ホストコンピュータ
１７  スマートフォン
１９  モニターレスＡＴＭ
１９ａ  二次元コード読取部
１９ｂ  出金部
【図１】
2018032176.tif 000003
【図２】
2018032176.tif 000004
【図３】
2018032176.tif 000005
【図４】
2018032176.tif 000006
【図５】
2018032176.tif 000007
【図６】
2018032176.tif 000008
【図７】
2018032176.tif 000009
【図８】
2018032176.tif 000010
【図９】
2018032176.tif 000011
【図１０】
2018032176.tif 000012
【図１１】
2018032176.tif 000013